(57)【要約】【課題】二つの部材により形成される収納空間に通じる開口部の周縁同士の隙間を介して収納空間の内側から外側に進入した液体がホルダ外部に漏れるのを抑制すること。【解決手段】収納ホルダは、収納空間を形成する周壁部と、収納空間の下端を閉じる底壁部と、収納空間に通じるロア開口部が設けられた上壁部と、を有するロア部材と、ロア部材の上方に配置される、収納空間に通じるアッパ開口部が設けられた板壁部を有するアッパ部材と、を備える。ロア部材は、上壁部の上面におけるロア開口部の周縁の外側にその周縁に沿って形成された、ロア開口部の周縁とアッパ部材のアッパ開口部の周縁との隙間から進入する液体を溜める第一貯留部を有する。【選択図】図６
2020050322.tif 000002
【特許請求の範囲】
【請求項１】
収納空間を形成する周壁部と、前記収納空間の下端を閉じる底壁部と、前記収納空間に通じるロア開口部が設けられた上壁部と、を有するロア部材と、
前記ロア部材の上方に配置される、前記収納空間に通じるアッパ開口部が設けられた板壁部を有するアッパ部材と、
を備える収納ホルダであって、
前記ロア部材は、前記上壁部の上面における前記ロア開口部の周縁の外側に該周縁に沿って形成された、前記ロア開口部の周縁と前記アッパ部材の前記アッパ開口部の周縁との隙間から進入する液体を溜める第一貯留部を有する、収納ホルダ。
【請求項２】
前記第一貯留部は、前記上壁部の上面に含まれる底面部と、前記上壁部の上面から上方に面状に広がって前記底面部を取り囲む側面部と、を有する、請求項１に記載の収納ホルダ。
【請求項３】
前記周壁部は、前記収納空間に開口する周壁開口部を有し、
前記収納ホルダは、前記周壁開口部から前記収納空間内に向けて突出する突出量が変更されるように進退可能なフラップを備え、
前記周壁開口部は、前記ロア部材に前記ロア部材の上端から下方に延びて前記ロア部材の上方に開口するように設けられ、
前記アッパ部材は、前記ロア部材に前記周壁開口部の上端を閉じるように組み付けられ、
前記アッパ部材は、前記周壁開口部の上端を閉じる部位の下端に設けられた、断面円弧状の玉縁を有する、請求項１又は２に記載の収納ホルダ。
【請求項４】
前記玉縁と前記フラップとの間の距離は１ｍｍ以下である、請求項３に記載の収納ホルダ。
【請求項５】
前記周壁部は、前記収納空間に開口する周壁開口部を有し、
前記収納ホルダは、
前記周壁開口部から前記収納空間内に向けて突出する突出量を変更可能に進退するフラップと、
前記収納空間の外側で前記周壁開口部の下端よりも下方に底面が設けられた、前記収納空間の内側から前記周壁開口部を介して前記収納空間の外側へ進入する液体を溜める第二貯留部を有する底側カバー部材と、
を備える、請求項１又は２に記載の収納ホルダ。
【請求項６】
前記収納ホルダは、前記ロア部材と前記アッパ部材との間に取り付けられる取付部材を備える、請求項１乃至５の何れか一項に記載の収納ホルダ。
【発明の詳細な説明】
【技術分野】
【０００１】
本発明は、例えばペットボトルや缶などを収納する収納ホルダに関する。
【背景技術】
【０００２】
従来、車両のセンタコンソールなどに搭載される収納ホルダが知られている（例えば、特許文献１）。この収納ホルダは、ペットボトルなどの飲料容器を収納物として収納保持可能な収納空間を備えている。収納空間は、周壁部により柱状に形成されつつ、下端が底壁部により閉じられた状態に形成される。収納空間の上部は、開口している。収納ホルダは、周壁部、底壁部、及び上壁部を有するホルダ本体と、ホルダ本体の上方に配置される上壁部に対面する板壁部を有するパネル部材と、を備えている。ホルダ本体及びパネル部材はそれぞれ、収納空間に通じる開口部を有している。パネル部材は、ホルダ本体の開口部の周縁を覆うように形成されている。
【先行技術文献】
【特許文献】
【０００３】
【特許文献１】特開２０１１−２５５６９９号公報
【発明の概要】
【発明が解決しようとする課題】
【０００４】
ホルダ本体の開口部の周縁とパネル部材の開口部の周縁との間には、隙間が生じる。収納ホルダに保持された飲料容器から液体がこぼれると、その液体が、その隙間を介してホルダ本体側に進入する。ホルダ本体側に進入した液体が、そのまま収納ホルダの外側に漏れると、収納ホルダの下方が汚れると共に掃除が困難となり、また、収納ホルダの下方に電子製品が配置されている場合はその電子部品が故障するおそれがある。
【０００５】
本発明は、このような点に鑑みてなされたものであり、二つの部材により形成される収納空間に通じる開口部の周縁同士の隙間を介して収納空間の内側から外側に進入した液体がホルダ外部に漏れるのを抑制することが可能な収納ホルダを提供することを目的とする。
【課題を解決するための手段】
【０００６】
本発明の一態様は、収納空間を形成する周壁部と、前記収納空間の下端を閉じる底壁部と、前記収納空間に通じるロア開口部が設けられた上壁部と、を有するロア部材と、前記ロア部材の上方に配置される、前記収納空間に通じるアッパ開口部が設けられた板壁部を有するアッパ部材と、を備える収納ホルダであって、前記ロア部材は、前記上壁部の上面における前記ロア開口部の周縁の外側に該周縁に沿って形成された、前記ロア開口部の周縁と前記アッパ部材の前記アッパ開口部の周縁との隙間から進入する液体を溜める第一貯留部を有する、収納ホルダである。
【０００７】
この構成によれば、ロア部材の上壁部上面のロア開口部の周縁外側に第一貯留部がその周縁に沿って設けられている。この第一貯留部は、ロア開口部の周縁とアッパ部材のアッパ開口部の周縁との隙間から進入する液体を溜めることが可能である。従って、その隙間を介して収納空間の内側から外側へ進入した液体が収納ホルダから外部に漏れるのを抑制することができる。
【図面の簡単な説明】
【０００８】
【図１】実施形態に係る収納ホルダが装着されるセンタコンソールの斜視図である。
【図２】実施形態の収納ホルダの斜視図である。
【図３】実施形態の収納ホルダの分解斜視図である。
【図４】実施形態の収納ホルダの下面図である。
【図５】実施形態の収納ホルダから底側カバー部材を分割した状態での下方からの斜視図である。
【図６】実施形態の収納ホルダを図２に示す直線VI−VIで切断した断面図である。
【図７】実施形態の収納ホルダが備える貯留部が設けられる部位を表した図である。
【図８】実施形態の収納ホルダが備えるフラップ及びそのフラップ周囲の断面図である。
【図９】実施形態の収納ホルダが備えるアッパ部材の要部断面図である。
【発明を実施するための形態】
【０００９】
図面を用いて、本発明に係る収納ホルダの具体的な実施形態について説明する。
【００１０】
第一実施形態の収納ホルダ１は、主にペットボトルや缶，水筒などの飲料容器を保持するカップホルダである。尚、収納ホルダ１は、更に、スマートフォンや携帯電話などを保持することが可能であってもよい。収納ホルダ１は、図１に示す如く、車両室内のセンタコンソール２に着脱可能に装着される。尚、収納ホルダ１は、センタコンソール２以外の対象に装着される保持装置であってもよい。収納ホルダ１は、図２、図３、図４、図５、及び図６に示す如く、ロア部材１０と、サポート機構２０と、アッパ部材３０と、スライド部材４０と、底側カバー部材５０と、を備えている。
【００１１】
ロア部材１０は、収納物を保持するホルダ本体である。ロア部材１０は、有底円筒状に形成されている。ロア部材１０は、二つの収納空間１１を有している。各収納空間１１は、飲料容器を一本ずつ収納することが可能である。各収納空間１１は、略円柱状に形成されている。尚、収納空間１１は、開口部側の面積が大きくかつ底壁部側の面積が小さくなるように断面が台形状に形成されていてよい。二つの収納空間１１は、連結溝部１２を介して互いに側方側で接続されている。
【００１２】
ロア部材１０は、上壁部１３を有している。上壁部１３は、薄板の略水平に広がるフランジ状のパネル部である。上壁部１３は、略四角形状に形成されている。上壁部１３は、互いに平行に直線状に延びる長辺側の二辺と、僅かに湾曲して延びる短辺側の二辺と、を有している。上壁部１３の上面には、アッパ部材３０との組付、後述のフラップ２１やスライド部材４０の支持、ロア部材１０の剛性確保などのために必要なリブなどが形成されている。上壁部１３の上面の外縁には、上方に延びる壁部１３ａが設けられている。
【００１３】
上壁部１３には、二つの収納空間１１に対応して二つのロア開口部１４が設けられている。二つのロア開口部１４は、上壁部１３の長辺に沿って並んで配置されている。各ロア開口部１４は、円形に形成されている。ロア開口部１４は、収納空間１１の上部に通じ、収納空間１１の上端において開口している。ロア開口部１４の直径は、例えば１００ｍｍなどである。上壁部１３の上面のロア開口部１４周縁には、上方に延びる壁部１３ｂが設けられている。
【００１４】
ロア部材１０は、図６及び図７に示す如く、上壁部１３の上面に形成された貯留部１５を有している。貯留部１５は、その上壁部１３の上面におけるロア開口部１４の周縁外側にその周縁に沿って形成されている。貯留部１５は、ロア開口部１４の周縁とアッパ部材３０の後述するアッパ開口部の周縁との隙間Ｓ１から進入する液体を溜めることが可能である。貯留部１５は、底面部１５ａと、側面部１５ｂと、を有している。貯留部１５は、底面部１５ａ及び側面部１５ｂにより囲まれる溝状空間である。
【００１５】
底面部１５ａは、上壁部１３の上面に含まれており、その上面の一部である。側面部１５ｂは、上壁部１３の上面から上方に突出する立壁部の側面である。側面部１５ｂは、上壁部１３の上面から上方に面状に広がっており、底面部１５ａを取り囲んでいる。尚、側面部１５ｂは、壁部１３ａ，１３ｂに形成される側面を含んでもよい。貯留部１５は、図７に破線で囲まれた領域内に示す如く、ロア開口部１４の周縁外側の複数箇所に設けられている。尚、貯留部１５は、ロア開口部１４の周縁全周に亘って途切れることなく一周するように樋状に設けられていてもよい。
【００１６】
ロア部材１０は、周壁部１６と、底壁部１７と、を有している。周壁部１６及び底壁部１７は、収納空間１１ごとに設けられている。周壁部１６は、円筒状に形成されている。周壁部１６は、上壁部１３の下面におけるロア開口部１４の周縁から下方に延びている。周壁部１６は、収納空間１１を囲う側壁であって、上端でロア開口部１４を形成している。底壁部１７は、円形に形成されている。底壁部１７は、周壁部１６の下端に接続されて一体化されており、収納空間１１の下端を閉じている。底壁部１７は、水平に広がっており、収納物の底部に当接されてその収納物を支持することが可能である。各収納空間１１は、連結溝部１２との接続部位を除いて周壁部１６により囲まれつつ底壁部１７により閉じられて形成されている。収納空間１１の高さ（具体的には、底壁部１７からロア開口部１４までの高さ）は、例えば１００ｍｍである。
【００１７】
周壁部１６は、周壁開口部１８を有している。周壁開口部１８は、収納空間１１に開口している。周壁開口部１８は、一つの収納空間１１当たり、二箇所設けられている。すなわち、ロア部材１０は、二つの収納空間１１に対して合計四箇所の周壁開口部１８を有している。各周壁開口部１８は、周壁部１６におけるロア部材１０の中央寄りに設けられている。周壁開口部１８は、ロア部材１０の上端（すなわち上壁部１３）から下方に延びており、長方形状に形成されている。周壁開口部１８は、ロア部材１０の上方に開口している。尚、一つの収納空間１１当たり二箇所の周壁開口部１８は、周壁部１６の相対する周方向二箇所に設けられてもよい。
【００１８】
サポート機構２０は、収納空間１１に収納された収納物の保持を補助する機構である。サポート機構２０は、ロア部材１０の周壁部１６の周壁開口部１８それぞれに対応して設けられている。各サポート機構２０は、フラップ２１と、サポートスプリング２２と、を有している。
【００１９】
フラップ２１は、ロア部材１０内に組み込まれる。フラップ２１は、ロア部材１０の周壁開口部１８に配設されている。フラップ２１は、収納空間１１に収納される収納物の径に合わせて進退するサポート部材である。フラップ２１は、収納空間１１の内外方向に進退することが可能である。すなわち、フラップ２１は、周壁開口部１８から収納空間１１内に向けて突出する突出量が変更されるように進退可能である。フラップ２１は、図８に示す如く、周方向に向けて所定幅を有しており、周方向から見て上下中央部が上部及び下部に比べて収納空間１１の内側に突出するように弧状に湾曲した形状に形成されている。フラップ２１は、上下中央部で収納物の側面に当接してその収納物を支持する。
【００２０】
フラップ２１の両側側面にはそれぞれ、軸孔２３が設けられている。軸孔２３は、フラップ２１の側面の上部に設けられている。ロア部材１０は、フラップ２１の軸孔２３に挿通される軸部１９を有している。軸部１９は、ロア部材１０における周壁開口部１８よりも収納空間１１の外側に位置する壁部に設けられている。軸部１９は、水平方向かつ略周方向に直線状に延びている。フラップ２１は、軸孔２３にロア部材１０の軸部１９が挿通されるようにロア部材１０に取り付けられている。フラップ２１は、ロア部材１０に軸部１９を中心にして揺動可能に支持されている。フラップ２１は、軸部１９を中心にして上部側に対して下部側が回動して揺動することにより収納空間１１の内外方向に進退する。
【００２１】
フラップ２１は、上下中央部が周壁部１６から最も収納空間１１の内側まで突出する所定突出位置と、上下中央部が周壁部１６に面一になる所定格納位置と、の間で揺動することが可能である。フラップ２１の所定突出位置と所定格納位置との間の揺動角度は、例えば３０°である。
【００２２】
ロア部材１０とフラップ２１との間には、サポートスプリング２２が介在している。サポートスプリング２２は、周方向にスプリング力を発生する付勢部材である。サポートスプリング２２は、ロア部材１０の軸部１９を囲むように配置されている。サポートスプリング２２の一端は、ロア部材１０に支持され固定されている。サポートスプリング２２の他端は、フラップ２１に支持され固定されている。サポートスプリング２２は、フラップ２１を上記の所定突出位置に向けて揺動させる付勢力を発生する。フラップ２１は、常態では、サポートスプリング２２の付勢力により上下中央部を最も収納空間１１の内側に向けて突出させた所定突出位置にある。尚、フラップ２１は、所定突出位置を超えて揺動することがないように規制部材（図示せず）により規制されていてよい。
【００２３】
アッパ部材３０は、収納ホルダ１の上面として表出するパネル部材である。アッパ部材３０は、ロア部材１０内へのフラップ２１の組付容易化やその組付後にフラップ２１の支持部位を隠すこと等のためにロア部材１０とは別体で設けられている。アッパ部材３０は、ロア部材１０の上方に配置されている。アッパ部材３０は、ロア部材１０の上壁部１３に対面する板壁部３１を有している。板壁部３１は、薄板の略水平に広がるパネル部である。板壁部３１は、ロア部材１０の上壁部１３の形状に合わせて略四角形状に形成されている。板壁部３１は、互いに平行に直線状に延びる長辺側の二辺と、僅かに湾曲して延びる短辺側の二辺と、を有している。
【００２４】
板壁部３１の下面（裏面）には、ロア部材１０との組付、フラップ２１やスライド部材４０の支持、アッパ部材３０の剛性確保などのために必要なリブなどが形成されている。板壁部３１の下面の外縁には、図６に示す如く、下方に延びる壁部３１ａが設けられている。壁部３１ａは、アッパ部材３０とロア部材１０との組付後にロア部材１０の上壁部１３の外縁の壁部１３ａを外側から覆うように形成されている。
【００２５】
板壁部３１には、二つの収納空間１１に対応して二つのアッパ開口部３２が設けられている。各アッパ開口部３２は、円形に形成されている。アッパ開口部３２は、ロア開口部１４及び収納空間１１の上部に通じ、収納空間１１の上部に開口している。アッパ開口部３２の直径は、ロア開口部１４の直径に合わせて例えば１００ｍｍなどである。板壁部３１の下面のアッパ開口部３２周縁には、下方に延びる壁部３１ｂが設けられている。
【００２６】
壁部３１ｂは、アッパ部材３０とロア部材１０との組付後にロア部材１０の上壁部１３のロア開口部１４周縁の壁部１３ｂと上下方向で対向する。また、壁部３１ｂは、アッパ部材３０とロア部材１０との組付後にロア部材１０の上壁部１３のロア開口部１４周縁の壁部１３ｂと収納空間１１側で面一になるように形成されている。更に、壁部３１ｂの一部は、アッパ部材３０とロア部材１０との組付後、ロア部材１０の周壁部１６に設けられた周壁開口部１８の上端を閉じる。これにより、壁部３１ｂにおける周壁開口部１８の上端を閉じる部位は、その組付後、周壁開口部１８に臨み、隙間Ｓ２を介してフラップ２１に対向する。
【００２７】
壁部３１ｂの下端には、図９に示す如く、玉縁３３が設けられている。すなわち、アッパ部材３０は、壁部３１ｂの下端に設けられた玉縁３３を有している。玉縁３３は、断面円弧状或いは断面半円状に形成されている。玉縁３３は、壁部３１ｂに沿って線状に延びている。玉縁３３は、可動型に掘り込まれた凹形状により、アッパ部材３０の成形時にパーティングライン（ＰＬ）よりも下方に形成される。尚、玉縁３３は、壁部３１ｂの全周のうち少なくともその壁部３１ｂにおける周壁開口部１８の上端を閉じる部位の下端に形成されていればよい。
【００２８】
アッパ部材３０は、フラップ２１が組み込まれたロア部材１０の上方からロア部材１０に組み付けられてそのロア部材１０に取り付けられる。ロア部材１０とアッパ部材３０との組付は、アッパ開口部３２がロア開口部１４及び収納空間１１に通じかつ対向部位の係合部同士が係合された状態でスクリュ６０により互いに締結されることにより実現される。ロア部材１０とアッパ部材３０との組付後、アッパ部材３０の玉縁３３とサポート機構２０のフラップ２１との間の離間距離は、人の指が入るのを規制できる所定距離（例えば１ｍｍ）以下である。尚、この所定距離は、０．５ｍｍ−１．５ｍｍに設定されていてよい。また、この所定距離は、フラップ２１の所定突出位置（常態位置）での距離であればよく、フラップ２１が所定格納位置側に揺動した際は、玉縁３３とフラップ２１とがこの所定距離を超えて離間することとしてよい。
【００２９】
ロア部材１０とアッパ部材３０との間には、スライド部材４０が取り付けられている。スライド部材４０は、人の押圧操作によりロア部材１０及びアッパ部材３０に対してスライド移動することにより収納ホルダ１の幅を可変させるための部材である。スライド部材４０は、長手方向に延びた形状に形成されている。ロア部材１０の上壁部１３の二つの長辺それぞれの壁部１３ａには、側方に開口する溝状の側面開口部１３ｃが設けられている。
【００３０】
上記のスライド部材４０は、各側面開口部１３ｃに配設されている。スライド部材４０は、側面開口部１３ｃから外方に突出するように配設されている。ロア部材１０の上壁部１３とアッパ部材３０の板壁部３１との間には、スライド部材４０が水平方向にスライド移動可能な空間が形成されている。スライド部材４０は、その空間に配置されており、側面開口部１３ｃの内外方向に進退することが可能である。スライド部材４０は、ロア部材１０にアッパ部材３０が組み付けられた後にロア部材１０とアッパ部材３０との間の空間に挿入配置される。
【００３１】
スライド部材４０とロア部材１０の上方に延びる壁部（例えば壁部１３ｂなど）との間には、スライドスプリング４１が介在している。スライドスプリング４１は、軸方向にスプリング力を発生する付勢部材である。スライドスプリング４１の一端は、スライド部材４０に支持され固定されている。スライドスプリング４１の他端は、ロア部材１０に支持され固定されている。スライドスプリング４１は、スライド部材４０を側面開口部１３ｃの外方に向けてスライド移動させる付勢力を発生する。
【００３２】
スライド部材４０は、常態では、スライドスプリング４１の付勢力により最も側面開口部１３ｃの外方に向けて突出させた位置にある。この際、収納ホルダ１の幅は、最大幅である。スライド部材４０の上面には、操作部４３が設けられている。操作部４３は、人がスライドスプリング４１の付勢力に抗して収納ホルダ１の幅を縮小させる押圧操作を行うためのつまみ部位である。
【００３３】
上記の常態から人がスライドスプリング４１の付勢力に抗して操作部４３に対して上記の押圧操作を行うと、スライド部材４０が側面開口部１３ｃの内方に押圧されることで、収納ホルダ１の幅が短くなる。これにより、収納ホルダ１は、センタコンソール２に設けられたレールに沿って移動させ或いはセンタコンソール２から取り外すことが可能である。その後、人が操作部４３に対する上記の押圧操作を解除すると、スライドスプリング４１の付勢力によりスライド部材４０が側面開口部１３ｃの外方に押圧されることで、収納ホルダ１の幅が最大まで戻る。これにより、収納ホルダ１は、センタコンソール２に再び装着されることが可能である。
【００３４】
スライド部材４０とロア部材１０及びアッパ部材３０との間には、フェルトなどの不織布４２が設けられている。不織布４２は、スライド部材４０に貼り付けられている。不織布４２は、スライド部材４０がセンタコンソール２内で移動する際にそのセンタコンソール２との間で異音や擦れが発生するのを抑える機能を有している。尚、収納ホルダ１の両側二つのスライド部材４０のうち一方は、側面開口部１３ｃの内外に向けてスライド移動することが規制されるようにロア部材１０及びアッパ部材３０に固定されていてもよい。
【００３５】
底側カバー部材５０は、ロア部材１０の下方側からそのロア部材１０に取り付けられるカバー部材である。底側カバー部材５０は、スクリュ５１を用いてロア部材１０に取り付けられる。底側カバー部材５０は、ロア部材１０の二つの周壁部１６の間の裏面形状に沿う形状を有している。具体的には、底側カバー部材５０は、ロア部材１０の二つの周壁部１６のすべて（四箇所）の周壁開口部１８を下方から塞ぐように椀状に形成されている。
【００３６】
底側カバー部材５０は、収納空間１１の内側から周壁開口部１８を介して収納空間１１の外側へ進入する液体を溜める貯留部５２を有している。貯留部５２は、底面部５２ａと、側面部５２ｂと、を有している。貯留部５２は、底面部５２ａと側面部５２ｂとにより囲まれる溝状空間である。底面部５２ａは、収納空間１１の外側で周壁開口部１８の下端よりも下方に設けられている。側面部５２ｂは、底面部５２ａから上方に面状に広がっており、底面部５２ａを取り囲んでいる。
【００３７】
次に、収納ホルダ１の動作について説明する。
【００３８】
収納ホルダ１は、ペットボトルや缶などの円柱状の飲料容器を収納空間１１に収納保持することが可能である。保持対象の飲料容器は、例えば、直径が４０ｍｍ−１００ｍｍの範囲にありかつ高さが１００ｍｍ−２５０ｍｍの範囲にある容器である。収納ホルダ１は、収納空間１１に何も収納されていない常態では、フラップ２１をその上下中央部が最も収納空間１１の内側まで突出した所定突出位置にある。
【００３９】
車両乗員などは、収納ホルダ１に保持対象の飲料容器を保持させるときは、その飲料容器を収納空間１１に挿入する。上記の常態から保持対象の飲料容器が収納空間１１に挿入されると、その飲料容器の底部で、収納空間１１の内側に突出する二つのフラップ２１の上下中央部が下方に押圧されることで、両フラップ２１がサポートスプリング２２の付勢力に抗して軸部１９を中心にして所定格納位置側へ揺動する。
【００４０】
上記の揺動は、飲料容器の直径に応じた角度まで進行する。そして、フラップ２１の上下中央部が飲料容器の側面に沿って摺接し始めた後は、そのフラップ２１の揺動角度はほぼ維持される。その後、飲料容器の底部が収納ホルダ１の底壁部１７に当接すると、それらのフラップ２１が周壁部１６との間でその飲料容器を径方向に挟持しつつ、底壁部１７がその飲料容器を支持するので、その飲料容器が収納ホルダ１に保持される。
【００４１】
飲料容器が収納ホルダ１に保持された状態では、その収納ホルダ１の二つのフラップ２１は共に、その飲料容器の直径に応じた揺動位置にある。例えば、直径の比較的小さな飲料容器では、各フラップ２１が所定突出位置に近い揺動位置に位置する。また、直径の比較的大きな飲料容器では、各フラップ２１が所定格納位置に近い揺動位置に位置する。このため、サポート機構２０の構造によれば、保持される飲料容器の直径に応じてフラップ２１の揺動位置を所定突出位置と所定格納位置との間で変えることができるので、直径の異なる複数種類の飲料容器をそれぞれ適切に対応させて収納空間１１に保持することができる。
【００４２】
また、車両乗員などは、収納ホルダ１の収納空間１１に保持された飲料容器をその収納ホルダ１から引き出すときは、その飲料容器の上部を掴んで収納空間１１から上方へ引き抜く。かかる引き抜きが行われると、まず、フラップ２１の揺動角度がほぼ維持された状態でそのフラップ２１の上下中央部が飲料容器の側面に沿って摺接する。その後、その摺接が解消されるまで飲料容器が引き抜かれると、フラップ２１がサポートスプリング２２の付勢力により所定突出位置まで揺動する。
【００４３】
上記の収納ホルダ１の構造においては、ロア部材１０が、上壁部１３の上面に形成された貯留部１５を有している。この貯留部１５は、ロア開口部１４の周縁外側にその周縁に沿って形成されており、そのロア開口部１４の周縁とアッパ部材３０のアッパ開口部３２の周縁との隙間Ｓ１から進入する液体を溜めることが可能である。従って、ロア部材１０のロア開口部１４の周縁とアッパ部材３０のアッパ開口部３２の周縁との間の隙間Ｓ１を介して収納空間１１の内側から外側へ進入した液体を溜めることができるので、その隙間Ｓ１を介して収納空間１１の内側から外側へ進入した液体が収納ホルダ１から外部に漏れるのを抑制することができる。
【００４４】
また、収納ホルダ１の構造においては、底側カバー部材５０が、揺動可能なフラップ２１が配設された周壁開口部１８が設けられたロア部材１０の下方側からそのロア部材１０に取り付けられている。この底側カバー部材５０は、ロア部材１０の二つの周壁部１６のすべて（四箇所）の周壁開口部１８を下方から塞ぐように椀状に形成されており、収納空間１１の内側から周壁開口部１８を介して収納空間１１の外側へ進入する液体を溜めることが可能である。従って、フラップ２１が配設された周壁開口部１８を介して収納空間１１の内側から外側へ進入した液体を溜めることができるので、その収納空間１１の内側から外側に進入した液体が収納ホルダ１から外部に漏れるのを抑制することができる。
【００４５】
このため、収納ホルダ１に保持された飲料容器から液体がこぼれた場合にも、その液体が収納ホルダ１の下方のコンソールや電子製品などに落ちてそのコンソールなどが汚れ或いは電子部品が故障するのを抑えることができる。
【００４６】
更に、収納ホルダ１の構造においては、アッパ部材３０が、板壁部３１のアッパ開口部３２の周縁の壁部３１ｂの下端に設けられた断面円弧状もしくは断面半円状の玉縁３３を有している。ロア部材１０とアッパ部材３０との組付後、玉縁３３とフラップ２１との間の離間距離は、人の指が入るのを規制できる所定距離（例えば１ｍｍ）以下に設定されている。従って、ロア部材１０の周壁開口部１８におけるアッパ部材３０とフラップ２１との隙間Ｓ２を小さく抑えることができる。このため、アッパ部材３０とフラップ２１との間に人の指が進入するのを抑えることができると共に、収納空間１１の内側から周壁開口部１８を介して収納空間１１の外側が見え易い状態を解消させることができ、また、フラップ２１が収納空間１１の内側へ撓んだ際に玉縁３３に当接することでその撓みが過大になるのを抑えることができる。
【００４７】
ところで、上記の実施形態においては、貯留部１５が特許請求の範囲に記載した「第一貯留部」に、貯留部５２が特許請求の範囲に記載した「第二貯留部」に、フラップ２１やスライド部材４０が特許請求の範囲に記載した「取付部材」に、それぞれ相当している。
【００４８】
尚、上記の実施形態においては、ロア部材１０とアッパ部材３０との間に取り付けられる部材として、収納空間１１に収納される収納物の径に合わせて進退するフラップ２１や、収納ホルダ１の幅を可変させるためのスライド部材４０を用いることとしている。しかし、本発明はこれに限定されるものではない。ロア部材１０とアッパ部材３０との間に取り付けられる部材として、他の用途の部材を用いるものに適用することとしてもよい。
【００４９】
尚、本発明は、上述した実施形態や変形形態に限定されるものではなく、本発明の趣旨を逸脱しない範囲で種々の変更を施すことが可能である。
【符号の説明】
【００５０】
１：収納ホルダ、１０：ロア部材、１１：収納空間、１３：上壁部、１４：ロア開口部、１５，５２：貯留部、１５ａ，５２ａ：底面部、１５ｂ，５２ｂ：側面部、１６：周壁部、１７：底壁部、１８：周壁開口部、２０：サポート機構、２１：フラップ、２２：サポートスプリング、３０：アッパ部材、３１：板壁部、３２：アッパ開口部、４０：スライド部材、４１：スライドスプリング、５０：底側カバー部材。
【図１】
2020050322.tif 000003
【図２】
2020050322.tif 000004
【図３】
2020050322.tif 000005
【図４】
2020050322.tif 000006
【図５】
2020050322.tif 000007
【図６】
2020050322.tif 000008
【図７】
2020050322.tif 000009
【図８】
2020050322.tif 000010
【図９】
2020050322.tif 000011